(57)【要約】【課題】非力な人でも、投げ矢がささりやすいダーツボードおよびダーツセットを提供する。【解決手段】ダーツボード２０は、標的面Ｐが曲面の形状を有し、標的面Ｐに投げ矢が刺さる複数の穴２１を備える。穴２１の開口部には、刺さった投げ矢を係止する係止部２２が配置されている。ダーツセットは、ダーツボード２０と、先端部に配置されたチップ３１を有する投げ矢と、を備える。チップ３１は、穴２１の開口部に配置された係止部２２に係止する抜止部３８を有する。【選択図】図３
2020003195.tif 000002
【特許請求の範囲】
【請求項１】
標的面が曲面の形状を有し、
前記標的面に投げ矢が刺さる複数の穴を備え、
前記穴の開口部には、刺さった投げ矢を係止する係止部が配置されている、
ことを特徴とするダーツボード。
【請求項２】
前記係止部は、前記穴の前記開口部に配置されたリング状の形状を有する、または前記穴の前記開口部に設けられた複数の突起部から構成される、
ことを特徴とする請求項１に記載のダーツボード。
【請求項３】
前記標的面は、凸面形状または凹面形状を有する、
ことを特徴とする請求項１または２に記載のダーツボード。
【請求項４】
前記標的面には、前記ダーツボードを垂直壁面に配置したとき、前記垂直壁面に対して傾斜する第１傾斜面と、前記第１傾斜面と同じ角度で傾斜すると共に、前記第１傾斜面よりも下方に形成されている第２傾斜面が形成されている、
ことを特徴とする請求項１または２に記載のダーツボード。
【請求項５】
前記標的面には、前記ダーツボードを垂直壁面に配置したとき、前記垂直壁面に対して傾斜すると共に、上から下に向かうに従って傾斜角度が変化する傾斜面が形成されている、
ことを特徴とする請求項１または２に記載のダーツボード。
【請求項６】
前記標的面には、前記ダーツボードを垂直壁面に配置したとき、前記垂直壁面に対して傾斜する傾斜面と、前記傾斜面よりも下方に形成されると共に、前記垂直壁面に平行な平行面が形成されている、
ことを特徴とする請求項１または２に記載のダーツボード。
【請求項７】
請求項１から６の何れか１項に記載のダーツボードと、
先端部に配置されたチップを有する投げ矢と、を備え、
前記チップは、前記穴の前記開口部に配置された前記係止部に係止する抜止部を有する、
ことを特徴とするダーツセット。
【請求項８】
前記係止部は、前記穴の前記開口部に配置されたリング状の形状を有し、
前記チップは、先端部に丸みを帯びた形状を有するドーム部を有し、
前記ドーム部の外径は、前記係止部の内径より小さい、
ことを特徴とする請求項７に記載のダーツセット。
【発明の詳細な説明】
【技術分野】
【０００１】
本発明は、ダーツボードおよびダーツセットに関する。
【背景技術】
【０００２】
ダーツは、誰でも、簡単に行なえ、広い場所を必要としないこと、或いは競技者、又は遊技者数の制限が少ないこと、等の理由で、近時、重宝されている。また、ダーツは、投げ矢とダーツボードを有するダーツセットを用いれば実施できる点でも重宝されている。
【０００３】
例えば、特許文献１は、ターゲットセグメントの適当な位置に弾性チップ孔を少なくとも一つ設け、弾性チップ孔の適当な円周部に、少なくとも一つの開口構造を設けることにより、異なる大きさのダーツ、チップが挟み保持されるようにして成ることを特徴とするソフトダーツ及び金属ダーツに使用するダーツボードを開示する。
【先行技術文献】
【特許文献】
【０００４】
【特許文献１】特開２００４−６５９７３号公報
【発明の概要】
【発明が解決しようとする課題】
【０００５】
特許文献１に開示されたダーツボードは、競技用のものであり、このダーツボードには、子供、女性、お年寄りなどの非力な人が投げた投げ矢が刺さりにくいという課題がある。
【０００６】
本発明は、上記実情に鑑みてなされたものであり、非力な人でも、投げ矢がささりやすいダーツボードおよびダーツセットを提供することを目的とする。
【課題を解決するための手段】
【０００７】
上記目的を達成するため、本発明の第１の観点に係るダーツボードは、
標的面が曲面の形状を有し、
前記標的面に投げ矢が刺さる複数の穴を備え、
前記穴の開口部には、刺さった投げ矢を係止する係止部が配置されている、
ことを特徴とする。
【０００８】
前記係止部は、前記穴の前記開口部に配置されたリング状の形状を有する、または前記穴の前記開口部に設けられた複数の突起部から構成されるとよい。
【０００９】
前記標的面は、凸面形状または凹面形状を有するとよい。
【００１０】
前記標的面には、前記ダーツボードを垂直壁面に配置したとき、前記垂直壁面に対して傾斜する第１傾斜面と、前記第１傾斜面と同じ角度で傾斜すると共に、前記第１傾斜面よりも下方に形成されている第２傾斜面が形成されているとよい。
【００１１】
前記標的面には、前記ダーツボードを垂直壁面に配置したとき、前記垂直壁面に対して傾斜すると共に、上から下に向かうに従って傾斜角度が変化する傾斜面が形成されているとよい。
【００１２】
前記標的面には、前記ダーツボードを垂直壁面に配置したとき、前記垂直壁面に対して傾斜する傾斜面と、前記傾斜面よりも下方に形成されると共に、前記垂直壁面に平行な平行面が形成されているとよい。
【００１３】
上記目的を達成するため、本発明の第２の観点に係るダーツセットは、
前記ダーツボードと、
先端部に配置されたチップを有する投げ矢と、を備え、
前記チップは、前記穴の前記開口部に配置された前記係止部に係止する抜止部を有する、
ことを特徴とする。
【００１４】
前記係止部は、前記穴の前記開口部に配置されたリング状の形状を有し、
前記チップは、先端部に丸みを帯びた形状を有するドーム部を有し、
前記ドーム部の外径は、前記係止部の内径より小さいとよい。
【発明の効果】
【００１５】
本発明によれば、非力な人でも、投げ矢がささりやすいダーツボードおよびダーツセットを提供することができる。
【図面の簡単な説明】
【００１６】
【図１】本発明の実施の形態に係るダーツセットを示す図である。
【図２】（Ａ）および（Ｂ）は、本発明の実施の形態に係るダーツボードを示す図である。
【図３】本発明の実施の形態に係るダーツボードの穴と投げ矢のチップを示す図である。
【図４】本発明の実施の形態に係るダーツボードの穴を示す図である。
【図５】本発明の実施の形態に係る投げ矢を示す図である。
【図６】本発明の実施の形態に係る投げ矢のチップを示す図である。
【図７】本発明の実施の形態に係る投げ矢がダーツ標的に刺さる原理について説明する図である。
【図８】本発明の実施の形態に係る投げ矢がダーツ標的に刺さる原理について説明する図である。
【図９】本発明の実施の形態に係る投げ矢がダーツ標的に刺さる原理について説明する図である。
【図１０】（Ａ）〜（Ｃ）は、変形例に係るダーツボードを示す図である。
【図１１】変形例に係るダーツボードの穴を示す図である。
【図１２】（Ａ）〜（Ｆ）は、変形例に係る投げ矢を示す図である。
【発明を実施するための形態】
【００１７】
以下、本発明を実施するための形態に係るダーツセット１を図面を参照しながら説明する。
【００１８】
本実施の形態に係るダーツセット１は、図１に示すように、ダーツ標的（ダーツボード）２０と、投げ矢３０と、を備える。
【００１９】
ダーツ標的２０は、図２（Ａ）および図２（Ｂ）に示すように、標的面Ｐに曲面である凸面形状を有し、標的面Ｐに投げ矢３０が刺さる穴２１を備える。穴２１は、ダーツ標的２０の表面に同心円状に複数配置される。穴２１は、図３および図４に示すように、内径Ｄ１である筒状の形状を有し、穴２１の開口部には、内径Ｄ１より小さい内径Ｄ２を有するリング状の係止部２２が配置されている。
【００２０】
投げ矢３０は、図５に示すように、中心軸ＣＸを有し、先端部から基端部に順番に中心軸ＣＸに沿って配置された、チップ３１と、バレル３２と、シャフト３３と、フライト３４と、を備える。チップ３１は、ダーツ標的２０の穴２１に刺さる部分である。バレル３２は、投げるときに把持される部分であり、チップ３１とシャフト３３を接続する部分に配置され、投げ矢３０が安定して飛ぶように、金属部品が用いられる。シャフト３３は、十字の切れ込みを有し、差し込まれたフライト３４を固定するものである。フライト３４は、最後尾の翼のことであり、矢で言うところの矢羽に当たるものである。バレル３２と、シャフト３３と、フライト３４は、投げ矢本体を構成する。
【００２１】
チップ３１は、弾性体である樹脂で作成され、図３に示すように、ドーム部３５と、拡径部３６と、切れ込み３７と、抜止部３８と、軸部３９を備える。ドーム部３５は、チップ３１の先端部に設けられ、丸みを帯びた形状を有し、穴２１の係止部２２の内径Ｄ２より小さい外径Ｄ３を有する。拡径部３６は、中心軸ＣＸに対して傾斜する傾斜面を有し、先端から後端に向けて拡径する円錐形状に形成され、ドーム部３５の後端側に設けられている。抜止部３８は、拡径部３６の後端側に設けられ、ダーツ標的２０の穴２１から抜けることを防止し、中心軸ＣＸに垂直な面部を有する。抜止部３８の外径Ｄ４は、穴２１の係止部２２の内径Ｄ２より大きく、穴２１に刺さったとき、抜止部３８は係止部２２に係止する。切れ込み３７は、図６に示すように、投げ矢３０の軸方向ＡＸから見て、十字状に設けられている。これにより、投げ矢３０がダーツ標的２０に当たったとき、ドーム部３５と拡径部３６と抜止部３８とが縮まり、投げ矢３０のチップ３１がダーツ標的２０の穴２１に容易に嵌まる。軸部３９の外径Ｄ５は、穴２１の係止部２２の内径Ｄ２より小さい。これにより、穴２１にチップ３１が刺さったとき、ドーム部３５と拡径部３６が元に戻る。投げ矢３０が穴２１に刺さると、抜止部３８により、投げ矢３０が穴２１から抜けることを防止する。
【００２２】
つぎに、遊技者により投げられた投げ矢３０がダーツ標的２０に刺さる原理について説明する。
【００２３】
まず、遊技者が投げ矢３０をダーツ標的２０に向けて投げると、図３に示すように、ダーツ標的２０に設けられた何れかの穴２１に向かって近づいていく。つぎに、投げ矢３０がダーツ標的２０にさらに近づくと、ドーム部３５の外径Ｄ３が穴２１の係止部２２の内径Ｄ２より小さいので、図７に示すように、チップ３１の先端部がダーツ標的２０の穴２１に入る。つぎに、チップ３１の拡径部３６が係止部２２に接触すると、図８に示すように、係止部２２から拡径部３６に力が加わり、切れ込み３７が圧縮され、ドーム部３５と拡径部３６と抜止部３８とが縮まる。さらに、図９に示すように、チップ３１が穴２１に入ると、係止部２２から拡径部３６に加わっていた力が解放され、ドーム部３５と拡径部３６と抜止部３８とが元の形状に戻る。これにより、抜止部３８が係止部２２に引っ掛かり、投げ矢３０がダーツ標的２０から抜けることを防止する。
【００２４】
以上のように、本実施の形態のダーツセット１によれば、ダーツ標的２０の穴２１に係止部２２が設けられ、投げ矢３０のチップ３１に抜止部３８が設けられていることにより、ダーツ標的２０に刺さった投げ矢３０が抜けることを防止できる。また、投げ矢３０のチップ３１に切れ込み３７が設けられているため、投げ矢３０が容易に穴２１に刺さる。このため、非力な人でも、投げ矢３０がささりやすいダーツ標的２０を提供することができる。また、ダーツ標的２０は、凸面形状を有しているため、上部分では表面が斜め上に傾き、下部分では、斜め下に傾いている。このため、上部分には投げ矢３０が刺さりやすく、下部分には投げ矢３０が刺さりにくい。このため、下部分を上部分より高い点数にすることなどで、ゲーム性を高めることができる。投げ矢３０のチップ３１の先端部にドーム部３５が設けられることで、投げ矢３０が人などに当たっても痛くなく、けがの原因となりにくい。また、ダーツ標的２０および投げ矢３０は３次元プリンタを使用することで、誰でも簡単に作成することができる。
【００２５】
（変形例）
上述の実施の形態では、ダーツ標的２０の標的面Ｐが凸面形状を有する例について説明した。ダーツ標的２０の標的面Ｐは、曲面形状を有すればよい。たとえば、図１０（Ａ）に示すように、ダーツ標的２０を垂直壁面に配置したとき、垂直壁面に対して傾斜する第１傾斜面２３と、第１傾斜面２３と同じ角度で傾斜すると共に、第１傾斜面２３よりも下方に形成されている第２傾斜面２４が形成されていてもよい。第１傾斜面２３と第２傾斜面２４とを有することで、相対的に、投げ矢３０が第１傾斜面２３と第２傾斜面２４に刺さりやすく、中心部２５に刺さりにくくなり、ゲーム性を高めることができる。また、図１０（Ｂ）に示すように、垂直壁面に対して傾斜すると共に、上から下に向かうに従って傾斜角度が変化する傾斜面が形成されていてもよい。例えば、上部分２６の傾斜を下部分２７の傾斜より緩くすることで、上部分２６に投げ矢３０が相対的に刺さりやすくなり、ゲーム性を高めることができる。また、図１０（Ｃ）に示すように、垂直壁面に対して傾斜する傾斜面２８と、傾斜面２８よりも下方に形成されると共に、垂直壁面に平行な平行面２９が形成されていてもよい。このようにすることで、傾斜面２８に投げ矢３０が相対的に刺さりやすくなり、ゲーム性を高めることができる。また、ダーツ標的２０は、凹面形状を有してもよい。
【００２６】
上述の実施の形態では、ダーツ標的２０の穴２１の開口部にリング状の係止部２２が配置されている例について説明した。係止部２２はチップ３１の抜止部３８を係止することができればよく、リング状の形状以外であってもよい。例えば、図１１に示すように、係止部２２’は、穴２１の開口部に設けられた複数の突起部であってもよい。突起部の内接円の直径Ｄ２’は、抜止部３８の外径Ｄ４より小さく、ドーム部３５の外径Ｄ３および軸部３９の外径Ｄ５より大きい。
【００２７】
上述の実施の形態では、投げ矢３０の投げ矢本体が図５に示すバレル３２と、シャフト３３と、フライト３４から構成される例について説明した。投げ矢３０は、チップ３１に抜止部３８が設けられていればよく、投げ矢本体の形状は限定されない。例えば、図１２（Ａ）に示すように、ロケットの形状を模してもよく、図１２（Ｂ）に示すように、野球のボールを含んでもよく、図１２（Ｃ）に示すように、飛行機の形状を模してもよく、図１２（Ｄ）に示すように６角柱を含んでもよく、図１２（Ｅ）に示すように、野球のバットを模してもよく、図１２（Ｆ）に示すように、紙飛行機の形状を模してもよい。このようにすることで、遊技としての楽しみを大きくすることができる。
【００２８】
本発明は、本発明の広義の精神と範囲を逸脱することなく、様々な実施の形態及び変形が可能とされるものである。また、上述した実施の形態は、この発明を説明するためのものであり、本発明の範囲を限定するものではない。
【符号の説明】
【００２９】
１  ダーツセット
２０  ダーツ標的（ダーツボード）
２１  穴
２２、２２’  係止部
２３  第１傾斜面
２４  第２傾斜面
２５  中心部
２６  上部分
２７  下部分
２８  傾斜面
２９  平行面
３０  投げ矢
３１  チップ
３２  バレル
３３  シャフト
３４  フライト
３５  ドーム部
３６  拡径部
３７  切れ込み
３８  抜止部
３９  軸部
Ｐ  標的面
【図１】
2020003195.tif 000003
【図２】
2020003195.tif 000004
【図３】
2020003195.tif 000005
【図４】
2020003195.tif 000006
【図５】
2020003195.tif 000007
【図６】
2020003195.tif 000008
【図７】
2020003195.tif 000009
【図８】
2020003195.tif 000010
【図９】
2020003195.tif 000011
【図１０】
2020003195.tif 000012
【図１１】
2020003195.tif 000013
【図１２】
2020003195.tif 000014